Podtech/llm-jp-corpus-v4-ja_patent huggingface dataset:
(57)【要約】【課題】従来のメガネでは、ワンタッチでレンズの取外し・取付け・交換が出来ないため、複数のメガネを携帯し交換したり、目の周り化粧や手入れがやりにくく、時間がかかったりした。こうした不具合の解消等。【解決手段】ワンタッチでレンズの取外し・取付け・交換が出来るようにすることにより、この課題を解決する。【選択図】図１
0003141058.tif 000002
【実用新案登録請求の範囲】
【請求項１】
レンズをワンタッチで取外し・取付け・交換が出来るメガネ。
【考案の詳細な説明】
【技術分野】
【０００１】  本考案は、レンズをワンタッチで取外し・取付け・交換できるメガネに関する。
【背景技術】
【０００２】  従来のメガネでは、ワンタッチでレンズを取外し・取付け・交換が出来ない。（図２）
【考案の開示】
【考案が解決しようとする課題】
【０００３】  これでは目の周りの化粧や手入れがやりにくく、また用途によりメガネが複数必要な場合、交換のため別のメガネとケースを持ち歩かねばならない。
【課題を解決するための手段】
【０００４】  そこで、レンズをワンタッチで取外し・取付け・交換できるメガネを考案した。（図１）。
【考案の効果】
【０００５】  よって、この機能により、用途に応じてレンズの取外・取付け・交換をすることが出来る。
【考案を実施するための最良の形態】
【０００６】  本考案に係る機能を持つメガネ２０は、図１に示すように、レンズ１の落下防止のためレンズ止め部分３を設けると共に、メガネフレームとレンズに磁石を取付けることにより、ワンタッチでレンズの取外し・取付け・交換が出来る。
【図面の簡単な説明】
【０００７】
【図１】本考案に係る機能を持つ装置を搭載したメガネの図である。
【図２】従来のメガネの図である。
【符号の説明】
【０００８】  １    レンズ
２    メガネフレーム
３    レンズ止め部分
４    磁石
１０    従来型メガネ
２０    ワンタッチレンズ着脱・交換式メガネ
【図１】
0003141058.tif 000003
【図２】
0003141058.tif 000004
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
レンズを簡単に交換できるように、メガネのレンズとフレームのレンズ止め部分に磁気を持たせたメガネ。
【手続補正２】
【補正対象書類名】明細書
【補正対象項目名】０００４
【補正方法】変更
【補正の内容】
【０００４】そこで、レンズを簡単に交換できるようにするため、メガネのレンズ（１）とフレーム（２）のレンズ止め部分（３）に磁気（４）をもたせたメガネを考案した。
(57)【要約】【課題】座った体勢もしくは座った体勢で足を別の部分に引っ掛けた体勢で使用される従来のハンモックチェアーを改良し、本来のハンモックのように足を伸ばした体勢もしくは寝た体勢でも使用できるようにすると共に座る、立ち上がるの動作に支障がないようにそれが容易に仕舞えるようにする。【解決手段】従来のハンモックチェアーに脚部を支える部分３を設ける。脚部を支える部分３は、座面２を支えるロープの束１の内の数本のロープによって支えられ、座面下に折り畳むもしくは蛇腹状に縮めることによって容易に仕舞う事ができる。【選択図】図１
0003141053.tif 000002
【実用新案登録請求の範囲】
【請求項１】
（１）腰を掛けた体勢のみで使用されるハンモックチェアー本体部に人体脚部を支える部分を付加し、座った体勢のみならず足を伸ばして座った体勢及び寝た体勢をとることを可能にしたことを特徴とするハンモックチェアー。
【請求項２】
（２）前記の人体脚部を支える部分は、座面となる部分の下に折り畳んで仕舞える、もしくは、蛇腹状に縮められることができるように構成することを特徴とする請求項１記載のハンモックチェアー。
【考案の詳細な説明】
【技術分野】
【０００１】本考案は、ハンモックチェアーの形状に関する。
【背景技術】
【０００２】従来のハンモックチェアーの形状は、図４および図５に示すような小型のネット状のハンモックもしくは、図６および図７に示すようなロープの束１と中央の座るための奥行き方向の幅狭い布部２によって構成されたもの、または、図８に示すような本体５に足掛け６が別に設けられたものである。
【考案の開示】
【考案が解決しようとする課題】
【０００３】しかしながら、以上の技術によれば、座った体勢（足が折れ曲がり床に付いた状態もしくは、足がハンモックの縁に引っ掛り浮いた状態）もしくは座った体勢で足を伸ばし別の部分に引っ掛けた体勢に限定される。そこでここの考案は、他のハンモックチェアー同様に座った体勢のみならず、体の方向を変えることなく本来のハンモックのように足を伸ばした体勢もしくは寝た体勢をとる事を可能にする事を提供することを課題とする。
【課題を解決するための手段】
【０００４】以上の課題を解決するために、第一考案は、従来のハンモックチェアーに足を伸ばした時に足を支える部分３を設けた事を特徴とするハンモックチェアーである。
また、第二考案は、足を支える部分３を着席時腰を掛ける座面布部分２の下面に折り畳む事により、もしくは蛇腹状に縮めることにより、座る、立ち上がるの動作に支障を来たさないことを特徴としたハンモックチェアーである。
【考案の効果】
【０００５】第一考案、第二考案によれば、座る、立ち上がるの動作に支障を来たすことなく、足を曲げて座った体勢はもちろん、足を伸ばして座った体勢、寝た体勢をとることができる。
【考案を実施するための最良の形態】
【０００６】図１および図２および図３に示す。
ハンモックチェアーは、ハンモックチェアー全体を吊り下げるために両端が輪状に束ねられたロープの束１とそれらの位置を固定すると共に着席時に座面となる布製の部分２に、足を伸ばした時にそれを支える部分となる布製の部分３が設けられている。この部分３は、座面２を支えるロープの束１の一部である数本のロープによって支えられている。
【図面の簡単な説明】
【０００７】
【図１】この考案の一実施形態を示す平面図である。
【図２】この考案の使用時の状態を示す斜視図である。従来品同様に座って使用した状態。
【図３】この考案の使用時の状態を示す斜視図である。足をのばしてに座って使用した状態。
【図４】従来技術を示す平面図である。
【図５】従来技術の使用時の状態を示す斜視図である。
【図６】従来技術を示す平面図である。
【図７】従来技術の使用時の状態を示す斜視図である。
【図８】従来技術の使用時の状態を示す斜視図である。
【符号の説明】
【０００８】１ロープの束
２座面となる部分
３足を支える部分
４従来技術のネット状ハンモック
５従来技術の１形態の本体
６従来技術の１形態の足掛け
【図１】
0003141053.tif 000003
【図２】
0003141053.tif 000004
【図３】
0003141053.tif 000005
【図４】
0003141053.tif 000006
【図５】
0003141053.tif 000007
【図６】
0003141053.tif 000008
【図７】
0003141053.tif 000009
【図８】
0003141053.tif 000010
【手続補正書】
【提出日】平成20年1月18日(2008.1.18)
【手続補正１】
【補正対象書類名】実用新案登録請求の範囲
【補正対象項目名】全文
【補正方法】変更
【補正の内容】
【実用新案登録請求の範囲】
【請求項１】
腰を掛けた体勢のみで使用されるハンモックチェアー本体部から側方に突出する、本体部より小さい、人体脚部を支える部分を付加し、座った体勢のみならず足を伸ばして座った体勢及び寝た体勢をとることを可能にしたことを特徴とするハンモックチェアー。
(57)【要約】      （修正有）【課題】ガードレール本体に装置する視線誘導標を提供する。【解決手段】視線誘導標は、表面に反射面を有し、背面にガードレール固定ボルト頭部が挿入でき、横にスライドする事で固定できる穴が設けられ、ガードレール凹部の固定ボルトに装着する。【選択図】図５
0003141038.tif 000002
【実用新案登録請求の範囲】
【請求項１】
・ガードレールを支柱に固定するボルトに簡単に装着できる視線誘導標
【請求項２】
・反射面を曲面にする事で遠くからも視認できる視線誘導標
【考案の詳細な説明】
【技術分野】
【０００１】  本考案は、ガードレールに装着する視線誘導標です。
【背景技術】
【０００２】・従来ガードレールの支柱に反射テープが巻かれている。
・従来ガードレールの支柱上部に反射板が装着されている。
【考案の開示】
【考案が解決しようとする課題】
【０００３】・地方、山間地の道路では、ガードレールの支柱に巻かれた反射テープは雑草等の成長に伴い見えなくなる。
・支柱上部に装着された反射板は装着間隔が遠い。
【課題を解決するための手段】
【０００４】・そこでガードレール本体に装着すれば良く見える。
・ガードレール設置線形により装着間隔を４（２）ｍ以上の間隔で装着できるので急カーブ等の危険を知らせる事ができる。
【考案の効果】
【０００５】・本考案の視線誘導標は自動車の前照灯の高さに近い位置で４（２）ｍ毎の装着が可能であり、夜間、特に雨天時の視線誘導に効果があり損壊事故等も防げる。
【考案を実施するための最良の形態】
【０００６】・ガードレール固定ボルトを緩めＡ部にボルト頭部を挿入し横にスライドしてＢ部で固定ボルトを締め付ける。
素材は硬質ポリエチレンかプラスチック。
・装着間隔はガードレール固定ボルトが２ｍか４ｍ間隔であるので、ガードレール線形を考慮して直線部は８ｍに１箇所、急カーブ等では２ｍに１箇所４ｍに１箇所等の装着が望ましい。
【図面の簡単な説明】
【０００７】
【図１】  正面図
【図２】  平面図
【図３】  側面図
【図４】  背面図
【図５】  装着図
【符号の説明】
【０００８】図４    背面図
Ａはガードレール固定ボルト挿入部
Ｂはガードレール固定ボルト締付部
【図１】
0003141038.tif 000003
【図２】
0003141038.tif 000004
【図３】
0003141038.tif 000005
【図４】
0003141038.tif 000006
【図５】
0003141038.tif 000007
【手続補正書】
【提出日】平成19年9月8日(2007.9.8)
【手続補正１】
【補正対象書類名】実用新案登録請求の範囲
【補正対象項目名】全文
【補正方法】変更
【補正の内容】
【実用新案登録請求の範囲】
【請求項１】
表面に反射面を有し背面にガードレール固定ボルト頭部が挿入でき、横にスライドする事で固定できる  穴を設ける事で、ガードレール凹部の固定ボルトに装着できる視線誘導標
【請求項２】
ガードレール凹部装着を特徴とする〔請求項１〕記載の視線誘導標として（ガードレール本体より凸出することなく視認性を良くする為）表面の反射面を曲面とする事により遠くから近くまでの視認ができる。ガードレール凹部内で装着できる為、交通の障害とならず車両等の接触による損傷も少ない。
【手続補正書】
【提出日】平成20年1月4日(2008.1.4)
【手続補正１】
【補正対象書類名】実用新案登録請求の範囲
【補正対象項目名】全文
【補正方法】変更
【補正の内容】
【実用新案登録請求の範囲】
【請求項１】
表面に反射面を有し背面にガードレール固定ボルト頭部が挿入でき、横にスライドする事で固定できる穴を設ける事でガードレール凹部の固定ボルトに装着できる視線誘導標。
【請求項２】
表面の反射面を曲面としたことを特徴とする請求項１記載の視線誘導標。
【手続補正２】
【補正対象書類名】明細書
【補正対象項目名】全文
【補正方法】変更
【補正の内容】
【考案の詳細な説明】
【技術分野】
【０００１】本考案は、ガードレールに装着する視線誘導標です。
【背景技術】
【０００２】・従来ガードレールの支柱に反射テープが巻かれている。
・従来ガードレールの支柱上部に反射板が装着されている。
【考案の開示】
【考案が解決しようとする課題】
【０００３】・地方、山間地の道路では、ガードレールの支柱に巻かれた反射テープは雑草等の成長に伴い効果がなくなる。
・支柱上部に装着された反射板は装着間隔が遠く効果的でない。
【課題を解決するための手段】
【０００４】・そこでガードレール本体に装着すれば良く見える。
・ガードレール設置線形により装着間隔を４（２）ｍ以上の間隔で装着できるので急カーブ等の危険を知らせる事ができる。
【考案の効果】
【０００５】・本考案の視線誘導標は自動車の前照灯の高さに近い位置で４（２）ｍ毎の装着が可能であり、夜間、特に雨天時の視線誘導に効果があり損壊事故等も防げる。
【考案を実施するための最良の形態】
【０００６】・ガードレール固定ボルトを緩めＡ部にボルト頭部を挿入し横にスライドしてＢ部で固定ボルトを締め付ける。
素材は硬質ポリエチレンかプラスチック。
・装着間隔はガードレール固定ボルトが２ｍか４ｍ間隔であるので、ガードレール線形を考慮して直線部は８ｍに１箇所、急カーブ等では２ｍに１箇所４ｍに１箇所等の装着が望ましい。
【図面の簡単な説明】
【０００７】
【図１】正面図
【図２】平面図
【図３】側面図
【図４】背面図
【図５】装着図
【図６】姿図
【符号の説明】
【０００８】図４    背面図
Ａはガードレール固定ボルト挿入部
Ｂはガードレール固定ボルト締付部
【手続補正３】
【補正対象書類名】図面
【補正対象項目名】全図
【補正方法】変更
【補正の内容】
【図１】
0003141038.tif 000008
【図２】
0003141038.tif 000009
【図３】
0003141038.tif 000010
【図４】
0003141038.tif 000011
【図５】
0003141038.tif 000012
【図６】
0003141038.tif 000013
(57)【要約】      （修正有）【課題】電力消費が少なく、利用に制約がない。【解決手段】従来のランプの変りに発光ダイオードを利用することで、利用の拡大ができる。【選択図】図１
0003141036.tif 000002
【実用新案登録請求の範囲】
【請求項１】
本件は、発光ダイオードの３色を一体化したものである。
【考案の詳細な説明】
【技術分野】
【０００１】  本考案は、発光ダイオードを異なる３色を、樹脂等で一体化させたものである。【０００２】  本考案は、一体化した３色の組み合わせを変えることで、様々な色合いを発光させることが可能となる。【０００３】  本考案の３色を電流の調節することで、微細な色合いを作り出すことができる。【０００４】  本考案のライトを、多数並べることで、スクリーンのように様々な、光の形体を作り出すことができる。
【背景技術】
【０００５】  従来、ランプにより色を調節して、装飾を施すことが行われてきたが、電力の消費が大きく制約があった。発光ダイオードは、電力消費がとても少ないので、利用の制約が小さく、利用拡大ができる。
【考案が解決しようとする課題】
【０００６】  従来のものは、電力消費等制約が大きい。
【考案の効果】
【０００７】  多数の本考案ランプをスクリーン状に配置して、調光することで、スクリーンに像を作り出すことができる。
【考案を実施するための最良の形態】
【０００８】  詳しくは、図面１による。
【産業上の利用可能性】
【０００９】  お知らせスクリーンや、装飾スクリーンとして利用することが考えられる。
【図面の簡単な説明】
【００１０】
【図１】  構造説明図、利用例説明図
【図１】
0003141036.tif 000003
【手続補正書】
【提出日】平成19年1月5日(2007.1.5)
【手続補正１】
【補正対象書類名】実用新案登録請求の範囲
【補正対象項目名】全文
【補正方法】変更
【補正の内容】
【実用新案登録請求の範囲】
【請求項１】
本件は、発光ダイオードを３個を一体化させて、光の３原色として発光させる、発光ダイオード３色一体化ライト。
【請求項２】
請求項１の発光ダイオード３色一体化ライトを多数配列し、スクリーンのように（テレビのブラウン管のように）画像を映し出すことができるようにした、発光ダイオード３色一体化ライト利用スクリーン。
【手続補正２】
【補正対象書類名】図面
【補正対象項目名】全図
【補正方法】変更
【補正の内容】
【図１】
0003141036.tif 000004
(57)【要約】      （修正有）【課題】産業廃棄物になっている檜の樹皮を安価にリサイクル処理し、観葉植物を楽しむ人々に園芸素材として提供する。【解決手段】檜の樹皮を粉砕して綿状に形成し、園芸素材とする。手で握り締めると、ふわふわとした触感が得られ、観葉植物用グランドカバーとして用いた場合、この園芸素材が観葉植物に直接触れても観葉植物を傷つける虞がないという優れた作用効果を奏し得る。【選択図】図１
0003141029.tif 000002
【実用新案登録請求の範囲】
【請求項１】
檜の樹皮を粉砕して綿状に形成したことを特徴とする園芸素材。
【考案の詳細な説明】
【技術分野】
【０００１】
本考案は、檜の樹皮を利用した園芸素材に関するものである。
【背景技術】
【０００２】
従来、木材生産加工過程で発生する膨大な樹皮においては用途が少なく、また土中で分解されにくいため産業廃棄物として焼却、廃棄されていた。しかし、これらを焼却処分することにより二酸化炭素が排出され、環境に悪影響を及ぼす虞がある。そこで環境問題に配慮し、かつ樹皮等の資源を有効活用し得る方法が求められている。
【考案の開示】
【考案が解決しようとする課題】
【０００３】
本考案は、環境保護、資源保護の観点からなされたものであり、産業廃棄物になっている檜の樹皮を安価にリサイクル処理し、観葉植物を楽しむ人々に園芸素材として提供し、また檜の樹皮の利用範囲を広げることを目的とする。
【課題を解決するための手段】
【０００４】
請求項１に記載の考案は、檜の樹皮を粉砕して綿状に形成したことを特徴とする。
【考案の効果】
【０００５】
本考案の請求項１に記載の園芸素材は、檜の樹皮を粉砕して綿状に形成したので、手で握り締めると、ふわふわとした触感が得られ、観葉植物用グランドカバーとして用いた場合、この園芸素材が観葉植物に直接触れても観葉植物を傷つける虞がないという優れた作用効果を奏し得る。
【０００６】
さらに、園芸素材の細長い繊維と繊維の間に水分を保つことができるので、この園芸素材を観葉植物用グランドカバーとして用いた場合、観葉植物が植えられた鉢内の地表の乾燥を防ぐことができる。さらにまた、本考案の園芸素材は細長い繊維状のものであるため、絡み合って風に飛ばされにくく、特に冬越しする植物にとっては防寒や、防霜として使用できる。また、檜本来の特性である防菌・防虫効果も得られる。
【考案を実施するための最良の形態】
【０００７】
以下、本考案の実施の形態を、添付図面を参考にして説明する。
本実施形態の園芸素材１は、図１に示すように観葉植物２が植えられた鉢内の土３を覆う観葉植物用グランドカバーとして使用される。
【０００８】
この園芸素材１は図２に示す粉砕機４により製造される。この粉砕機４は、粉砕機本体５と、粉砕機本体５に材料を供給する供給部６と、粉砕機本体５を作動させるための駆動部７とを備えている。
【０００９】
前記粉砕機本体５は、ケーシング５１と、ケーシング５１内に設けられる粉砕部５２とを備えている。このケーシング５１は、鋼板製でかつ箱型で、上部に供給口５３が設けられ、下部側面には排出口５４が設けられている。そして、ケーシング５１内部に設けられた粉砕部５２は、駆動軸５５と、駆動軸５５の上端に取り付けられる粉砕羽根５６と、駆動軸５５の軸方向中間部に取り付けられる送り出し羽根５７と、網状摩擦部材５８と、前記網状摩擦部材５８を補強する補強部材５９とを備えている。
【００１０】
前記駆動軸５５は、ケーシング５１底部中央から内部上方へ突出し、かつ前記供給口５３と同軸に回転自在に支持されている。
前記粉砕羽根５６は、４枚の羽根から構成され、前記駆動軸５５の上端に軸装されている。
前記送り出し羽根５７は、４枚の羽根から構成され、前記駆動軸５５の軸方向中間部に軸装されている。
前記網状摩擦部材５８は、有底円筒型で、前記粉砕羽根５６を中央に囲み、かつその上端をケーシング５１内の上面に当接させた状態で設置されている。
前記補強部材５９は、前記網状摩擦部材５８と同じく有底円筒型で、その上端をケーシング５１内の上面に当接させた状態で網状摩擦部材５８の外周に設置されている。この補強部材５９の壁面には複数の孔が設けられている。
【００１１】
前記供給部６は、材料供給用漏斗６１から構成されている。この材料供給用漏斗６１はケーシング５１の上部に設けられた供給口５３の上部に取り付けられている。
また、前記駆動部７は、図示しない外設の駆動モーターと、駆動軸５５の下端部に設けたプーリー７１と、このプーリー７１と駆動モーターの駆動軸との間に掛け渡された駆動ベルト７２から構成され、駆動モーターの駆動により、駆動ベルト７２を介して駆動軸５５を回転させるようにしている。
【００１２】
次に粉砕機４により本考案の園芸素材１を製造する過程を説明する。前記粉砕機４の材料供給用漏斗６１に投入された檜の樹皮は、ケーシング５１の上部に設けられた供給口５３を通って網状摩擦部材５８内部に入り、網状摩擦部材５８の中央に配置された粉砕羽根５６の高速回転により、遠心力を受けて網状摩擦部材５８の内壁面に擦り付けられ、綿状に粉砕される。前記粉砕された園芸素材１は補強部材５９に設けられた図示しない複数の孔を通ってケーシング５１内の底部に収集され、収集された園芸素材１は駆動軸５５の軸方向中間部に軸装された送り出し羽根５７によって排出口５４へ送り出される。
【００１３】
上記方法により得られた園芸素材１は、手で握り締めると、ふわふわとした触感であり、図１に示すように、この園芸素材を観葉植物用グランドカバーとして用いた場合には、観葉植物に直接触れても植物を傷つけることがない。さらに檜の樹皮のみを原料としているので土の色に馴染みやすい赤茶色を呈し、観葉植物用グランドカバーとして用いると、観葉植物が植えられている鉢内の地表を美しく見せることができる。
【図面の簡単な説明】
【００１４】
【図１】本考案の園芸素材をグランドカバーとして用いたときの断面図である。
【図２】本考案の園芸素材を製造するための装置の正面図である。
【符号の説明】
【００１５】
１    園芸素材
２    観賞用植物
３    土
４    粉砕機
５    粉砕機本体
６    供給部
７    駆動部
５１    ケーシング
５２    粉砕部
５３    供給口
５４    排出口
５５    駆動軸
５６    粉砕羽根
５７    送り出し羽根
５８    網状摩擦部材
５９    補強部材
６１    材料供給用漏斗
７１    プーリー
７２    駆動ベルト
【図１】
0003141029.tif 000003
【図２】
0003141029.tif 000004
(57)【要約】      （修正有）【課題】お通夜、及び告別式で派手さを取り除いた葬具を提供する。【解決手段】ろうそく１及び和傘６を用いることで派手さを無くし、お通夜、告別式にふさわしい空間が生まれる葬具。【選択図】図１
0003141067.tif 000002
【実用新案登録請求の範囲】
【請求項１】
（１）  円筒型のろうそく（１）の上部中央に炎（２）を設け、設置台（３）の中央部分に固定し、周辺に蓮の花（４）を設ける。
（２）  設置台（３）に設けたろうそく（１）の後方に穴を開けてパイプ（５）を通し、パイプ（５）の上部先端に和傘（６）の柄を挿入して設け、設置台（３）の周辺に垂れ幕（７）を設けたろうそくの葬具。
【考案の詳細な説明】
【技術分野】
【０００１】  本考案は、葬具に関するものである。
【背景技術】
【０００２】  従来は、花環などはあったが、ろうそくの葬具はなかった。
【考案の開示】
【考案が解決しようとする課題】
【０００３】  解決しようとする問題点は、花輪が式場に設置されていたが、故人を偲ぶには余りにも派手でありお通夜、告別式の光景には不向きであった。
【問題を解決するための手段】
【０００４】  円筒型のろうそく（１）の上端中央に炎（２）を設け、設置台（３）の中央部分に固定し、周辺に蓮の花（４）を設ける。設置合（３）に設けたろうそく（１）の後方に穴を開けてパイプ（５）を通し、パイプ（５）の上部先端に和傘（６）の柄を挿して設け、設置台（３）の周辺を垂れ幕（７）で覆う。
【考案の効果】
【０００５】  本考案のろうそくの葬具は、悲しみにくれる遺族及び親族の心境に配慮して派手さを取り除き、参列者と共に心静かに故人を浄土へお送りするのにふさわしい告別式ができる。
【考案を実施するための最良の形態】
【０００６】  ろうそく、炎、蓮の花は塩化ビニール製、和傘は竹製、パイプは金属製、設置台は木製、垂れ幕は布製の物を用いる。
【産業上の利用可能性】
【０００７】  お通夜及び告別式の式場に各々設置する。
【図面の簡単な説明】
【０００８】
【図１】は本考案の正面図である。
【図２】は本考案の側面図である。
【符号の説明】
【０００９】  １ろうそく  ２炎  ３設置台  ４蓮の花  ５パイプ  ６和傘  ７垂れ幕
【図１】
0003141067.tif 000003
【図２】
0003141067.tif 000004
【手続補正書】
【提出日】平成20年1月15日(2008.1.15)
【手続補正１】
【補正対象書類名】実用新案登録請求の範囲
【補正対象項目名】全文
【補正方法】変更
【補正の内容】
【実用新案登録請求の範囲】
【請求項１】
（１）円筒型のろうそく（１）の上部中央に炎（２）を設け、設置台（３）の中央部分に固定し、周辺に蓮の花（４）を設け、設置台（３）の後方に穴を開けてパイプ（５）を通し、パイプ（５）の先端に和傘（６）を設け、設置台（３）の側面に垂れ幕（７）を設ける。
以上からなるろうそくの葬具。
(57)【要約】      （修正有）【課題】エアコン使用によるヒートアイランド現象の減少や石油ストーブの様な石油を使用せずに室内を暖める事と冷やす事を実現する。【解決手段】  エアコン室外機内凝縮機３をペルチェ素子２に直流電流を流すと素子の表面に温度差が生じ、片面の熱をもう片面が吸収し放熱するという熱の移動効果の特性を利用して冷暖房運転時に合わせて電極を変えて冷却と放熱する事とエアコン室外機内ファンモータ動力５を利用した発電をする。【選択図】図１、図３
0003141062.tif 000002
【実用新案登録請求の範囲】
【請求項１】
ペルチェ素子を設けたことを特徴とする冷温風機。
【考案の詳細な説明】
【技術分野】
【０００１】本考案は、冷温風機に関する。
【背景技術】
【０００２】従来のような冷温風機の石油ストーブの燃料である石油に限りがあり、又、エアコンでは、冷房運転時によるエアコン室外機内凝縮器から出る高温の排出熱を大気に放出する事で、ヒートアイランド現象原因の一つとなっている。
【考案の開示】
【考案が解決しようとする課題】
【０００３】しかし、現実にはエアコンによる冷房と石油ストーブによる暖房なしでの生活は難しい。
【課題を解決するための手段】
【０００４】この課題を解決するための請求項の考案は、ペルチェ素子を設けた冷温風機を考案した（図１）、ペルチェ素子の特徴である直流電流を流すと素子の表面に温度差が生じ、片面の熱をもう片面が吸収し放熱するという熱の移動効果の特性を利用した冷却と放熱を利用した冷温風機により、エアコン冷房時による凝縮器の熱による、ヒートアイランド現象の減少と石油ストーブの様な石油を使用しないで、室内を充分に冷やし、暖める事が可能になる。
【考案の効果】
【０００５】本考案により、一般家庭や事務所で使用されるエアコンや石油ストーブ使用によるヒートアイランド現象の減少が出来て、室内を充分に冷やし、暖める事が出来る。
【考案を実施するための最良の形態】
【０００６】以下、本考案の実施の形態を図１〜図４に基づいて説明する。【０００７】図１においては、ペルチェ素子の特徴である直流電流を流すと素子の表面に温度差が生じ、片面の熱をもう片面が吸収し放熱するという熱の移動効果の特性を利用した冷房時に２半密閉型冷温蔵ボックス内に温熱を溜めて、１放出口から冷風を排出する。
暖房時にも２半密閉型冷温蔵ボックス内に冷熱を溜めて、１放出口から温風を放出する。【０００８】図２においては、３ペルチェ素子から発生する冷温熱を効率良く放出する為に熱を溜める４保温ボックスで、冷温熱を６ファンモータの動力を用いて５ファンを回転させ１放出口から放出する。
【図面の簡単な説明】
【０００９】
【図１】本考案の実施形態を示すペルチェ式冷温風機の一部分断面立体図である。
【図２】本考案の実施形態を示すペルチェ式冷温風機の一部分断面図である。
【符号の説明】
【００１０】１放出口
２半密閉型冷温蔵ボックス
３ペルチェ素子
４保温ボックス
５ファン
６ファンモータ
【図１】
0003141062.tif 000003
【図２】
0003141062.tif 000004
【手続補正書】
【提出日】平成20年1月9日(2008.1.9)
【手続補正１】
【補正対象書類名】実用新案登録請求の範囲
【補正対象項目名】全文
【補正方法】変更
【補正の内容】
【実用新案登録請求の範囲】
【請求項１】
ペルチェ素子の片面にそって、ファンで送風する冷温風機。
(57)【要約】      （修正有）【課題】従来、発生した回生電力を抵抗器により、熱消費していた電力を有効使用することを可能とする動力回生機能付エレベーター駆動装置を提供する。【解決手段】駆動装置のモーター２にキャパシタを具備する動力回生装置５を附加することにより、回生電力を抵抗器により熱消費することなく、回生電力を有効活用することができる。また、省エネルギーを可能とする動力回生装置。【選択図】図１
0003141070.tif 000002
【実用新案登録請求の範囲】
【請求項１】
本考案はトラクションロープ式エレベーターにおいて、カゴとつり合いオモリの質量差により生ずる重力エネルギーにより、モーターから発生する回生電力をインバーター、制御器等を介して、キャパシタを組込んだ動力回生装置に蓄電、この蓄電電力を有効利用して、起動・走行時の商用電力を補完し、省エネルギーを可能としたことを特徴とする動力回生機能付エレベーター駆動装置。
【考案の詳細な説明】
【技術の分野】
【０００１】  本考案は、トラクションロープ式エレベーター駆動装置において、エレベーターカゴとつり合いオモリの質量差により、生じる重力エネルギーによって、モーター回生電力をインバーター、制御器等を介して、キャパシタを組込んだ動力回生装置に蓄電する。全負荷上昇時のようにカゴ側がオモリ側より、質量がある場合の上昇時に必要な電力を動力回生装置により供給することによって、商用電力を補完し、省電力運転を可能とする事を特徴とする動力回生機能付エレベーター駆動装置に関するものである。
【背景技術】
【０００２】  従来のエレベーターは無負荷の場合、カゴはつり合いオモリより軽い為、ブレーキを開放するとカゴとつり合いオモリとの質量差により、カゴは上昇することによって、駆動装置のモーターは回生電力を発生、発生した電力は抵抗器により、熱消費していた。
【考案の開示】
【考案が解決しようとする課題】
【０００３】  従来のエレベーター駆動装置の制御には次のような欠点があった。エレベーターカゴとつり合いオモリの質量差により生じる重力エネルギーによるモーター回生電力を抵抗器により、熱消費していたのでエネルギーの無駄な消費をしていた。また、夏季などは駆動装置設置場所の温度上昇の原因となっていた。本考案はこのような欠点を解決しようとするものである。
【課題を解決するための手段】
【０００４】  キャパシタを具議する動力回生装置を駆動装置制御装置に附加することにより、カゴとつり合いオモリの質量差によって生ずる重力エネルギー｛（かご質量＋積載量−おもり質量又は、オモリ質量（積載量×０．５＋カゴ質量）−カゴ質量（無負荷）｝がモーター回生電力となることを利用する。この回生電力をインバーター、制御器等を介して、キャパシタを具備する動力回生装置に蓄電する。蓄電した電力を商用電力の補完電力として、有効利用することを特徴とする省エネルギー駆動装置。これにより、課題を解決することが可能となる。
【考案を実施するための最良の形態】
【０００５】  以下本考案の説明をする。回生電力をエレベーター駆動用の制御回路内のインバーター、制御器等を介して、蓄電するキャパシタを具備する動力回生装置を組込む。これにより、回生電力を商用電源側に回生しないで動力回生装置に蓄電することにより、電源ノイズ等を生ずることも無く、回生電力の有効利用することができる。
【実施例】
【０００６】  以下図面により、本考案の実施例を説明する。カゴ６とつり合いオモリ７の質量差で生じる重力エネルギーによって、モーター２より発生する回生電力を制御盤内のインバーター４を介して動力回生装置５に充電する。また、全負荷上昇時など起動電力が必要な時は動力回生装置５より、放電する。これにより、モーター２および減速機３を駆動することにより、省エネルギー運転が可能となる。
【図面の簡単な説明】
【０００７】
【図１】は本考案の駆動・回生装置構成図
【図２】は本考案の制御ブロック図
【図３】は本考案の全体構成説明図
【符号の説明】
１．シーブ（綱車）
２．モーター
３．減速機３
４．インバーター
５．動力回生装置
６．カゴ
７．つり合いオモリ
８．駆動装置
【図１】
0003141070.tif 000003
【図２】
0003141070.tif 000004
【図２】
0003141070.tif 000005
【手続補正書】
【提出日】平成20年2月12日(2008.2.12)
【手続補正１】
【補正対象書類名】図面
【補正対象項目名】全図
【補正方法】変更
【補正の内容】
【図１】
0003141070.tif 000006
【図２】
0003141070.tif 000007
【図３】
0003141070.tif 000008
(57)【要約】      （修正有）【課題】観察が容易になるＬＥＤ付デンタルミラーを提供する。【解決手段】近年発明されたＬＥＤライトであれば、小型で光も強く発熱も少なくデンタルミラーの柄の部分への装着が可能となった。ＬＥＤライトをデンタルミラーに取り付けその光を鏡に反射させることにより、診たい部分により多くの光をあてることが可能になり、また、鏡にあたらない光は口腔内を直接照らし出し診察が容易になる。さらに、医療設備を持たない普通の人でも鏡に向かいこのＬＥＤライトつきデンタルミラーを使用すれば、自分自身での虫歯や歯周病の状態を観察することが容易になる。【選択図】図１
0003141063.tif 000002
【実用新案登録請求の範囲】
【請求項１】
（１）歯の診察や治療等で口腔内を診るために使用するミラー（以下デンタルミラーという）の鏡部分を取り付けている柄の部分にＬＥＤライトを取り付ける。
（２）ＬＥＤライトの光を鏡に反射させ、歯の裏側や口腔内の光が届きにくい部分にＬＥＤライトの光をあてる。
【考案の詳細な説明】
【技術分野】
【０００１】  デンタルミラーの鏡を取り付けている柄の部分にＬＥＤライトを取り付け、ＬＥＤライトの光を鏡に反射させることにより、歯の裏側や口腔内の光が届きにくい部分にＬＥＤライトの光をあてることができるようになり、歯や歯茎などの口腔内の観察がより容易になる。
【背景技術】
【０００２】  従来のデンタルミラーにはライト等は装着されておらず、口腔内を観察しようすれば、診察用ライトを反射させその光をさらにデンタルミラーに反射させていた。医療設備を持たない普通の人では、デンタルミラーを使用し口腔内を観察しようとしても、最適な光を得ることは難しく、観察が困難だった。
又従来からある白熱灯ではある一定の強さの光を得ようとすれば電球が大きくなり、又、発熱もあるため口腔内で使用することは困難だった。
【考案の開示】
【考案が解決しようとする課題】
【０００３】    従来のデンタルミラーにはライト等は装着されておらず、口腔内を観察しようすれば、診察用ライトを反射させその光をさらにデンタルミラーに反射させていた。医療設備を持たない普通の人では、デンタルミラーを使用し口腔内を観察しようとしても、最適な光を得ることは難しく、観察が困難だった。
又従来からある白熱灯ではある一定の強さの光を得ようとすれば電球が大きくなり、又、発熱もあるため口腔内で使用することは困難だった。
【課題を解決するための手段】
【０００４】  デンタルミラーの鏡を取り付けている柄の部分にＬＥＤライトを取り付け、ＬＥＤライトの光をデンタルミラーの鏡に反射させ、歯の裏側や口腔内の光が届きにくい部分にＬＥＤライトの光をあてる。
また鏡にあたらない光は口腔内を直接照らし出し、口腔内の観察がより容易になる。
【考案の効果】
【０００５】  デンタルミラーの鏡を取り付けている柄の部分にＬＥＤライトを装着することにより、ＬＥＤライトの光をデンタルミラーの鏡に反射させ、歯の裏側や口腔内の光が届きにくい部分にＬＥＤライトの光をあてることが可能となり、また鏡にあたらない光は口腔内を直接照らし出し、観察が容易になる。
鏡の角度を変えればライトの角度も自動的に変化し、最適の光を観察したい部分にあてることが可能となった。
【考案を実施するための最良の形態】  デンタルミラーの鏡を取り付けている柄の部分にＬＥＤライトのみを取り付け、別にしたバッテリーから電線により電流を流す。
【実施例】
【実施例１】  デンタルミラーの鏡を取り付けている柄の部分にＬＥＤライトのみを取り付け、別にしたバッテリーから電線により電流を流す。
【実施例２】  デンタルミラーの鏡を取り付けている柄の部分にＬＥＤライトと水銀電池を取り付ける。
【産業上の利用可能性】
【図面の簡単な説明】
【図１】  ＬＥＤライトをデンタルミラーに取り付けた横断面図
【図２】  ＬＥＤライトをデンタルミラーに取り付けた上面図
【符号の説明】
１  ＬＥＤライト
２  ミラー
３  デンタルミラー
４  バッテリー
【図１】
0003141063.tif 000003
【図２】
0003141063.tif 000004
【手続補正書】
【提出日】平成20年1月6日(2008.1.6)
【手続補正１】
【補正対象書類名】実用新案登録請求の範囲
【補正対象項目名】全文
【補正方法】変更
【補正の内容】
【実用新案登録請求の範囲】
【請求項１】
歯の診察や治療等で口腔内を診るために使用するミラー（以下デンタルミラーという）の鏡部分を取り付けている柄の部分に、ＬＥＤライトを取り付けた形状で、ＬＥＤライトの光がデンタルミラーの鏡に反射する構造である。
(57)【要約】【課題】  車の座席シートを車外でも使用できるようにする為、脱着を簡単にしようとするものである。車外で使用する為にシートに脚を付ける。【解決手段】  極力工具を使わず素手で簡単に脱着できるようにする為、後部を円筒状の突起物等にひっかけるような構造にし、前部を自動車のドアのドアロックとドアストライカーの様な構造にする。この時、この構造に係る部品及び材料は、事故等の衝撃でシートが外れたりする事がないよう、衝撃に耐え得る素材と構造にする。車外で使用できるようにする為、座席シートの裏に折り畳み式の脚を取り付けること。折り畳み式の脚は人間が座った時の重量に充分耐えられる素材とし、持ち運びを容易にする為、アルミニウム製等の角パイプ又は丸パイプ状にして軽量化を図る。【選択図】  図１
0003141061.tif 000002
【実用新案登録請求の範囲】
【請求項１】
シートの脚部にあたる部分を改良し、脱着を簡単に、且つ車外で使用する場合の脚を折り畳み式でシートの裏側に内蔵する構造。
【考案の詳細な説明】
【技術分野】
【０００１】
本考案は、車の座席シートを車外でも使用する為、脱着を簡単にしようとするものである。
【背景技術】
【０００２】
これまで座席シートを簡単に外せる構造の自動車がない。
【考案の開示】
【考案が解決しようとする課題】
【０００３】
解決しようとする問題点は、いかに簡単な脱着構造にするかという点と、車外で使用する際の安定性のある脚をどのように取り付けるかという点である。
【課題を解決するための手段】
【０００４】
本考案は極力工具を使わず素手で脱着できるようにすることと、座席シートの裏に折り畳み式の脚を取り付けることを主要な特徴とする。
【考案の効果】
【０００５】
アウトドアレジャー等の屋外で、又は廃車になっても屋内で上質のソファとして使える利点がある。
【考案を実施するための最良の形態】
【０００６】
極力簡単に脱着や脚の組み立て、収納が出来る事。  事故等の衝撃に耐え得る素材で、且つ外したシートの持ち運びを考え軽量化が望ましい。
【実施例】
【０００７】
座席の下にスライド式のレールがあるシートの場合、シートと土台部分は既存の構造とし、Aの部分は自動車のドアのドアロックとドアストライカーの様な構造となる。
【０００８】
取り付ける場合にはBの部分の円筒状の突起物を穴に通す。
【０００９】
Cの部分が折り畳み式の脚である。
【００１０】
折り畳み式の脚は人が座った時の重量に耐える強度を持ち、且つ持ち運びに便利なように、アルミニウムの丸又は角パイプを使用して軽量化を図る。
折り畳み部は蝶番等を使用する。
【図面の簡単な説明】
【００１１】
【図１】本体に取り付けた状態
【図２】本体から取り外した状態
【図３】車外で折り畳みの脚を開いた状態
【符号の説明】
【００１２】
１１  自動車のドアのドアロックとドアストライカーの様な構造
１２  円筒状の突起物を穴に通すような構造
１３  折り畳み式の脚を示す
【図１】
0003141061.tif 000003
【図２】
0003141061.tif 000004
【図３】
0003141061.tif 000005
【手続補正書】
【提出日】平成20年1月27日(2008.1.27)
【手続補正１】
【補正対象書類名】実用新案登録請求の範囲
【補正対象項目名】全文
【補正方法】変更
【補正の内容】
【実用新案登録請求の範囲】
【請求項１】
シートの脚部にあたる部分を改良し、シートの裏側に折り畳み式の脚を装着したカーシートを脱着可能にして、車外で使用できるようにした構造。
【手続補正２】
【補正対象書類名】明細書
【補正対象項目名】００１２
【補正方法】変更
【補正の内容】
【００１２】  Ａ  自動車のドアのドアロックとドアストライカーの様な構造
Ｂ  円筒状の突起物を穴に通すような構造
Ｃ  折り畳み式の脚を示す
【手続補正３】
【補正対象書類名】図面
【補正対象項目名】全図
【補正方法】変更
【補正の内容】
【図１】
0003141061.tif 000006
【図２】
0003141061.tif 000007
【図３】
0003141061.tif 000008
(57)【要約】      （修正有）【課題】食いが良く合わせが容易な浮き釣り用反転遊動こませ籠を提供する。【解決手段】ハリス糸が上方に行く方は、錘の上部に付いたワッカに道糸を通し、サルカンと結んでいるので、ワッカがストッパーの役をしているので上には行かない、こませ籠上端部を下端に向かってハリス遊動ガイド棒を傾斜し、先端にハリス糸が通るワッカを形成した事を特徴とする、こませ籠、この事により前ページで記述した通り、道糸及びハリス糸が錘付きこませ籠まで引っ張らなく、すぐ浮きに反応が出る、よって釣果が高くなる。【選択図】図１
0003141009.tif 000002
【実用新案登録請求の範囲】
【請求項１】
一端が開口した筒状のこませ籠（1）、こませ籠（1）の閉端側の底面に取り付けられた錘（2）、錘（2）の先端に形成された輪（3）、こませ籠（1）の開口側、側面から閉端側に向かい、対角線状に閉端部錘が付いている所からこませ籠（1）の側面若しくは上端縁から、弾性がある、線状のハリス遊動ガイド棒（4）、ハリス遊動ガイド棒（4）の先端に形成された環状のハリス遊動ワッカ（5）を備えた浮き釣り用反転遊動こませ籠。
【考案の詳細な説明】
【技術分野】
【０００１】
本考案は海釣り用こませ籠に関するものである。
【背景技術】
【０００２】
従来の反転こませ籠は、上部に錘付きのかませ籠でこませ籠本体上下に道糸及びハリス
糸を直接結び付け、ハリス糸の先にハリを結んでいる。（例えば特許文献1参照）。
【特許文献１】実開昭60−131178号公報。
【考案の開示】
【考案が解決しようとする課題】
【０００３】
従来の反転こませ籠は、こませ籠の上部に錘を付け、錘上部のワッカに道糸を直接結び
付けている、またハリス糸はこませ籠の下部に直接結び付けている、すなわち道糸及びハ
リス糸が固定されているため、魚が食ったとき、錘付きのこませ籠を一緒に引っ張るので
その時魚が抵抗を感じ、特に大きな魚は違和感を覚え食いが悪い、この点を解決しようと
するものである、微妙な事ですが魚釣りには大変重要な点です。
【課題を解決するための手段】
【０００４】
本考案に係る、浮き釣り用反転遊動こませ籠、一端が開口した筒状のこませ籠（1）こませ籠（1）の閉端側の底面に取り付けられた錘（2）、錘（2）の先端に形成された輪（3）こませ籠（1）開口側、側面から閉端側に向かい閉端部錘が付いている所から、こませ籠（1）の側面若しくは上端縁から弾性がある、線状のハリス遊動ガイド棒（4）、はりす遊動ガイド棒の先端に形成された環状のハリス遊動ワッカ（5）を備えた浮き釣り用反転遊動こませ籠、図（1）の通りこませ籠（1）の上端部に錘（2）とその上のワッカ（3）に道糸を通しサルカンを結ぶ、すなわちハリスが上部に行かない、ストッパーの役をサルカンがする、こませ籠の外側に向かって、下端に傾斜するハリス遊動ガイド棒（4）を設けて、ハリス遊動ガイド棒の先端にハリス遊動ワッカ（5）を形成する、道糸を結んだサルカンのもう一方にハリス糸を結びハリス遊動ガイド棒に沿ってハリスを下ろし、ハリス遊動ガイド棒先端のワッカを通してハリを外に出す、このことにより魚が食ってハリス糸を引っ張った時、道糸及びハリス糸がフリーとなり、魚に抵抗を与えない、従って違和感を魚に与えない結果魚の食いが大変良くなり、問題点を解決している。
【考案の効果】
【０００５】
ガイド棒の先端の輪を通して道糸、ハリス糸が遊動してスムースに糸が動き、錘付きこませ籠までも魚が引き込まないので、抵抗を感じず魚の食いが良い、その時水面上の浮きに魚が食ったとき、すぐに反応が出るので、合わせが良くなり魚が良く釣れる、従来の釣り方と、今回の方式の釣り方で、同一の場所で釣った所、今回の方式がいつも大変良く釣れる。
【考案を実施するための最良の形態】
【０００６】
こませ籠（1）の上端部に錘（2）とその上に道糸を通すワッカ（3）を設け道糸とサルカンを結び、サルカンは錘上部のワッカの中に道糸を通し、サルカンと結ぶ、ワッカはサルカンが上方向には行かない役をする、こませ籠の外側向かって下端に傾斜する、ハリス遊動ガイド棒（8）を設け、その先端をワッカにして端を留める、図（1）の通り。
（材質）
【０００７】
こませ籠は樹脂製品糸及び金属の針金、ハリス遊動ガイド棒及び錘上部のワッカはステンレス材、真鍮、銅、一般の金属の針金。
（形状）
【０００８】
こませ籠は丸型及び角型、込ませ籠の網目は約2〜10ミリ角程度、ハリス遊動ガイド棒は針金形状。
（寸法）
【０００９】
丸型こませ籠（1）の場合、直径20ミリ〜100ミリ程度、高さ25ミリ〜120ミリ程度角型こませ籠の場合、一辺20ミリ〜100ミリ程度、高さ25ミリ〜120ミリ程度。
【実施例】
【００１０】
こませ籠の錘を下にして、こませ籠の中に撒き餌さとエサをつけたハリを一緒に入れる海に放った時、錘側が下になり水中を落下する、この時道糸にはあらかじめ、釣り人の望む深さで、浮き止めのストッパーが結ばれているので、その深さまでこませ籠が落下した時浮きにテンションがかかり、浮きが立つ、この時点にて水中では、こませ籠が反転して撒き餌さとエサつきハリが水中に落下する。図（3）、（4）。
【００１１】
反転してこませ籠の上部に付いた、錘先端のワッカを通して、こませ籠の外側に沿って下側に下端する、ハリス遊動ガイド棒の先端ワッカを通した、ハリス糸に付いた餌つきハリが水中に落下する。
【００１２】
この時魚が食えば、道糸及びハリス糸は下方向はフリーなので、錘付きこませ籠は引っ張らず、ハリス糸及び道糸のみ引っ張り、浮きにすぐ反応がでる。
【図面の簡単な説明】
【００１３】
【図１】本考案の浮き釣り用、反転遊動こませ籠の丸型正面図の一例
【図２】浮き釣り用反転遊動こませ籠の平面図である
【図３】浮き釣り用反転遊動こませ籠が水中にて落下していり図
【図４】浮きにテンションがかかり、誘導こませ籠が反転した図である
【図５】本考案の浮き釣り用、反転遊動こませ籠の丸型正面図の二例
【符号の説明】
【００１４】
1     こませ籠本体
2     錘
3     ワッカ
4     ハリス遊動ガイド棒
5     ハリスワッカ
6     サルカン
7     道糸
8     ハリス糸
9     ハリ
【図１】
0003141009.tif 000003
【図２】
0003141009.tif 000004
【図３】
0003141009.tif 000005
【図４】
0003141009.tif 000006
【図５】
0003141009.tif 000007
(57)【要約】      （修正有）【課題】スーパーマーケットの商品の品質を最大限に保持し、安全性・便利性・機能性に優れている買い物用バッグの提供。【解決手段】高温を嫌う刺身などのパック食品や中華料理、煮魚の汁がこぼれやすい惣菜のパック食品を入れる断熱材で作った保冷・保温用の内側バッグ１と、内側バッグを入れて接着布２で着脱可能に取り付ける外側バッグ４と、外側バッグを水平に保持して吊り下げるための吊り下げ紐５とより構成する。【選択図】図１
0003141298.tif 000002
【実用新案登録請求の範囲】
【請求項１】
高温を嫌う刺身などのパック食品や中華料理、煮魚の汁がこぼれやすい惣菜のパック食品を入れる断熱材で作った保冷・保温用の内側バッグと、内側バッグを入れて接着布で着脱可能に取り付ける外側バッグと、外側バッグを水平に保持して吊り下げるための吊り下げ紐とより構成したことを特徴とする買い物用バッグ。
【考案の詳細な説明】
【考案の詳細の説明】
【技術分野】
【００１】本考案は、スーパーマーケットの商品の品質を最大限に保持し、安全性・便利性・機能性に優れている買い物用バッグに関するものである。
【背景技術】
【００２】従来のスーパーマーケットで使用されているポリ袋や市販の買い物用袋は物を入れるだけの袋である。これらの袋の中に入れた刺身パックなどはその中の刺身が外からの熱で水が出たりする。また、中華料理や煮魚などの惣菜パックから煮汁がこぼれたりする。このため、他の商品を汚したりして相互の商品の品質が損なわれている。
【考案の開示】
【００３】刺身パックなどは外からの高熱を遮断して本来の新鮮さを維持し、中華料理・煮魚などは味付けのよさを大切にし品質の低下を防ぐようにしたい。
本考案は、このような問題を解決するためになされたもので、品質を保持し刺身パックや惣菜パックの品質を保持した状態で持ち運ぶことができる買い物バッグを提供することを目的とする。
【課題が解決するための手段】
【００４】上記の課題を解決するために本考案が提供する買い物用バッグは、高温を嫌う刺身などのパック食品や中華料理、煮魚の汁がこぼれやすい惣菜のパック食品を入れる断熱材で作った保冷・保温用の内側バッグと、内側バッグを入れて接着布で着脱可能に取り付ける外側バッグと、外側バッグを水平に保持して吊り下げるための吊り下げ紐とより構成したものである。
【考案の効果】
【００５】本考案の買い物用バッグによれば、内側バッグの保冷・保温の断熱材によってその中に入れた刺身などの品質を保持し、内側バッグを水平に保つことによってその中に入れた商品から煮汁がこぼれないようにすることができる。
【考案を実施するための最良の形態】
【００６】保冷・保温用の内側バッグは、内面にＰＶＣ加工をした防水性のものまたはアルミ箔のウレタンを貼り合わせて断熱性を有するもので作成し保冷・保温を維持するものである。また、吊り下げ紐で水平に保持できるようにして惣菜の煮汁がこぼれないようにするものである。
【実施例】
【００７】図１は本考案の買い物用バッグの斜視図である。図１において、１は保冷・保温用の内側バッグで、断熱材で作られている。箱型に作ることによって折りたたむこともできる。２は接着布で内側バッグと外側バッグを着脱可能にするものである。３は内側バッグの蓋、４は外側バッグ、５は吊り下げ紐である。【００８】以上のような構成になっているので、使用するときは刺身パックなどや中華料理・煮魚などの惣菜食品は保冷・保温バッグに入れる。外側バッグの接着布と保冷・保温バッグの接着布を合わせて取り付けることによって水平になり、吊り下げ紐にて商品を水平に保持して、安全に持ち運ぶことができる。また、内側バッグで刺身の品質を保持し、惣菜の煮汁がこぼれないようにすることができる。このため、たいへん機能性に優れている買い物用バッグである。
【図面の簡単な説明】
【図１】実施例の買い物用バッグの斜視図
【符号の説明】
１  保冷・保温用内側バッグ
２  接着布
３  内側バッグの蓋
４  外側バッグ
５  吊り下げ紐
【図１】
0003141298.tif 000003
(57)【要約】      （修正有）【課題】現在の履物は、そのまま履いているので靴類を履いた場合、尼の指が靴先の狭い部分に押され外反母しになりやすい。又スリッパ等での歩行は足から履物がぬげやすく、怪我等の原因となりやすい。【解決手段】革靴や、運動靴や、スリッパ等に足の親指と、第二指で挟む鼻緒１を付けることで足の指先に筋力が付き、外反母しを防ぎ、足から履物が脱げ落ちて怪我すること等の予防に役立つ。【選択図】図１
0003141299.tif 000002
【実用新案登録請求の範囲】
【請求項１】
革靴や、運動靴や、スリッパ等の履物に、足の親指と、第二指で挟むことが出来る鼻緒をつけた、健康で安全な履物。
【考案の詳細な説明】
【技術分野】
【００１】  本考案は、革靴や、運動靴や、スリッパ等に鼻緒を付けることに関する。
【背景技術】
【００２】  従来の履物は、鼻緒がなく（図２）そのまま履いている。
【考案の開示】
【考案が解決しようとする課題】
【００３】  しかし、これでは、靴類を履いて歩く場合、足の指が靴先のせまい部分に押されて、親指が曲がり外反母しになる可能性があり健康によくない。又スリッパ等を履いて歩くとき、スリッパ等が足から抜け落ちそうになり、歩くのに不便で、転んで怪我をする可能性も有りうる。
【課題を解決するための手段】
【００４】  そこで、革靴や、運動靴や、スリッパ等の履物に足の親指と、第二指で挟む鼻緒を付ける（図１）よう考案した。
この鼻緒を付けることにより、履物を足の指で確りと挟んでいるので、履物が脱げ落ちることを防ぐことが出来る。
【考案の効果】
【００５】  よって本考案の鼻緒の付いた履物は、足の指で鼻緒をしっかりと挟んでいるので、足の指先に筋力が付き、走ったり、歩いたりするのがスム−ズにでき、外反母しの予防や、履物が足から脱げかかりつまずいて負傷するような事故も防ぐ事が出来る。
【考案を実施するための最良の形態】
【００６】  本考案に係る、履物に取り付ける鼻緒は（図１）のように履物の前方に約７０度前後の角度で取り付け、鼻緒の材料は革や布類や、丈夫な化学繊維等、その履物にあった丈夫な材質を取り付ければよい。
【図面の簡単な説明】
【００７】
【図１】  本考案に係る履物に鼻緒を付けた状態の断面図である。
【図２】  従来の履物の断面図である。
【符号の説明】
【００８】  １          履物に付けた鼻緒
２          鼻緒を付けた履物
３          従来の履物
１０          履物
【図１】
0003141299.tif 000003
【図２】
0003141299.tif 000004